(57)【要約】      （修正有）【課題】内部に消火器、救急医療器具、医薬品、非常食、毛布等のような常備品で必要となる物を収納することができる応接用収納可能畳ベンチを提供する。【解決手段】応接室、及びホテル、旅館などのロビー、玄関内に設置されるベンチ式収納部１として、収納部１の蓋部と、その上部に畳の着座部４とから構成され、収納部１は、長方体、又は正方体で、平行的に配置された各側面部５と、各側面部５の下端に縮張された底台部６とから構成されたボックス型形状を有し、そのボックス型内部に種々の常備品を収納するための空間を有し、着座部４は縁部を持って畳を敷いた和風的雰囲気をもたらせた薄平板形状畳を有し、上方の畳の着座部４とその下部に容積収納部の蓋体を有して、開放された箱形状の容積収納部は１〜３区分にして、上面部で開閉に対応する位置に着脱自在の蓋体を設けている直方体、及び立方体ボックス型腰掛状ベンチになっている。【選択図】図１
0003207335.tif 000002
【実用新案登録請求の範囲】
【請求項１】
応接室、及びホテル、旅館などのロビー、玄関内に設置されるベンチ式収納部として、該収納部の蓋部と、その上部に畳の着座部とから構成され、前記収納部は、長方体、又は正方体で、平行的に配置された各側面部と、前記各側面部の下端に縮張された底台部とから構成されたボックス型形状を有し、そのボックス型内部に種々の常備品を収納するための空間を有し、前記着座部は縁部を持って畳を敷いた和風的雰囲気をもたらせた薄平板形状畳を有し、前記上方の畳の着座部とその下部に容積収納部の蓋体を有して、開放された箱形状の容積収納部は１〜３区分にして、上面部で開閉に対応する位置に着脱自在の蓋体を設けている直方体、及び立方体ボックス型腰掛状ベンチになっていることを特徴とする応接収納可能用畳ベンチ。
【請求項２】
直方体、及び正方体ボックス型腰掛ベンチにおいて、当該ボックスの表面に薄型畳を敷いて、縦５００〜１２００ｍｍ、横５００〜２４００ｍｍ、高さ４００〜６００ｍｍの長方体、又は正方体の収納部であり、当該ボックス内には収納可能な容積を持ち、底台面位置に照明具、又はキャスター、又はアジャスターを備えていることを特徴とする請求項１に記載の応接用収納可能畳ベンチ。
【請求項３】
長方体、又は正方体の形状のうち、表面に厚さ２〜５０ｍｍ、縦５００〜１２００ｍｍ、横５００〜２４００ｍｍである１〜３枚の畳であり、幅各ボックスの縁辺部には５〜１００ｍｍの幅の縁部を取り付けて、前記長方形、又は正方形の上面に装着できるようにして、ボックス体の底部に高さ３０〜２００ｍｍ、縦４５０〜１０００ｍｍ、横４５０〜２２００ｍｍである底台板を設けていることを特徴とする請求項１、又は請求項２に記載の応接用収納可能畳ベンチ。
【請求項４】
畳ベンチは、応接室、及びホテル、旅館などのロビー、玄関内に設置されているものであって、収納庫部の上部に取り付けている着座部をテーブルやベンチやベッド等の台として、あるいはソファー、及び椅子として使用でき、常時使用できるように前記収納部の底台部にはＬＥＤ照明具を取り付け、又は移動あるいは安定性を確保するためにキャスター、又はアジャストを取り付けていることを特徴とする請求項１〜請求項３のいずれかに記載の応接用収納可能畳ベンチ。
【請求項５】
応接室、及びホテル、旅館などのロビー、玄関内に設置される収納部において、該収納部の蓋部となる着座部と、前記収納部の内部に収納される蓋体付収納容積部とから構成され、前記収納容積部は、その内部に備蓄物を収納するための空間を有し、前記畳の着座部は長方形、又は正方形の平板形状畳を有し、前記上方を蓋体の開閉によって内部の利用に対応できる位置に着脱自在に開放された収納容積部と上面部に畳、及び蓋体を設けて、前記収納部の底台部に４個のキャスター、又は４〜８個のアジャスターを取り付けることを特徴とする請求項１〜請求項４のいずれかに記載の応接用収納可能畳ベンチ。
【考案の詳細な説明】
【技術分野】
【０００１】本考案は、応接室、及びホテル、旅館などのロビー、玄関内に設置される畳ベンチに関し、常備品で必要となる物を収納することができる収納部付き畳ベンチに関する。
【背景技術】
【０００２】近年の意識の向上に伴い、個人個人による身の回りにおける対策の実施と共に、行政機関によるきめ細かな施策が求められている。その一つとして、応接室、及びホテル、旅館などのロビー、玄関内に設置される座席できるベンチ、椅子として、和風的雰囲気で休息できることが困難となることを考慮して、また畳を持つ箱形ボックス型のベンチで、内部に消火器、救急医療器具、医薬品、非常食、毛布等のような、常備品として備蓄物を多数の備蓄に収納できるように、環境と休息と収納を備えたベンチ器具等に対応させようという考えがある。【０００３】公園や広場等のベンチの脚部となる収納庫部内に防災備蓄物を保管する。運搬車は別体で備えるかまたは収納庫部の蓋となる着座部に一対の車輪と少なくとも１本の伸縮自在な支持脚を設けることで構成される。運搬車としての着座部の着脱または運搬車の収納庫部への出し入れは、収納庫部の相対的に長い側面部の内面に設けられた一対の傾斜路上を走行させることで行われる。保管中、車輪のタイヤは傾斜路の面により圧縮されない位置に保持されることが提案されている（特許文献１参照）。【０００４】特殊ベンチとしては、自動販売機の設置された場所において休憩のため利用されるベンチとして、自動販売機等に付属するにふさわしい形状をした格納式ベンチを提供することも提案されている（特許文献２参照）。【０００５】またベッドで寝たきりの方がベッドから家庭用のお風呂に容易に移動できるようにした家庭用の風呂を提供するために、箱型で四方が板で囲まれた家庭用のお風呂であって、上下に稼働する側面の板を下げ被介護のベッドと平行に設置してお風呂の底板の上部にスライド板があり、そのスライド板をベッドの方向にスライドさせ被介護をベッドから移動し、スライド板をスライドさせ元の位置に戻し側面の板を上げることで寝たままお風呂に入れる様にするベンチが提案されている（特許文献３参照）。【０００６】ベンチを多機能化して、休息感や美観を阻害することなく、かつその利便性も向上するために、箱型の外ケース内にくずかご６を収納するスペースを設け、前記外ケースに人が座れる座部を設け、さらに、ベンチの外ケースの外面に広告掲示部を設けているものが提案されている（特許文献４参照）。【０００７】応接室、及びホテル、旅館などのロビー、玄関内に設置されて、ベンチ内部に収納として常備品で必要となる物を収納することができる収納格納部をもった和式の畳ベンチに関しては今まで存在していない。
【先行技術文献】
【特許文献】
【０００８】
【特許文献１】特開平１１−２２５８８５３号公報
【特許文献２】特開平７−３０６９８１号公報
【特許文献３】実用新案登録第３１７８４７６号公報
【特許文献４】実用新案登録第３０８８６０２号公報
【考案の概要】
【考案が解決しようとする課題】
【０００９】本考案は応接室、及びホテル、旅館などのロビー、玄関内に設置される、部屋内の場所の確保を容易に行うことができ、しかも廉価に設置することのできる和風的な雰囲気において、休息などを行うことができて、ベンチで特に、消火器、救急医療器具、医薬品、非常食、毛布等のような応接室、及びホテル、旅館の常備品など日頃必要でない備蓄物を収納するための収納できる畳ベンチを提供しようとするものである。【００１０】本考案は、応接室、及びホテル、旅館などのロビー、玄関内に設置されて、畳を使用した和風式ベンチで、部屋内の古風様式をもたらして、その上ベンチ内に備蓄物の収納と、訪問者の休息、状況鑑賞の場所として使用できる家具として、全体的に移動できるようになっており、簡単に模様替えができて、移動、運搬具として活用できて、部屋内を容易に出し入れすることができる収納部付き畳ベンチを提供しようとするものである。【００１１】更に、本考案は、特に応接室、及びホテル、旅館における、消火器、救急医療器具、医薬品、非常食、毛布等のような、常備品の収納庫に使用できると共にテーブルやベンチや応急ベッド等としても使用できる運搬車、休息場所として、上面の畳面を有する箱形ボックスを収納可能または備えた収納庫付き畳ベンチが期待されている。
【課題を解決するための手段】
【００１２】応接室、及びホテル、旅館などのロビー、玄関内に設置されるベンチ式収納部として、該収納部の蓋部と、その上部に畳の着座部とから構成され、前記収納部は、長方体、又は正方体で、平行的に配置された各側面部と、前記各側面部の下端に縮張された底台部とから構成されたボックス型形状を有し、そのボックス型内部に種々の常備品を収納するための空間を有し、前記着座部は縁部を持って畳を敷いた和風的雰囲気をもたらせた薄平板形状畳を有し、前記上方の畳の着座部とその下部に容積収納部の蓋体を有して、開放された箱形状の容積収納部は１〜３区分にして、上面部で開閉に対応する位置に着脱自在の蓋体を設けている直方体、及び立方体ボックス型腰掛状ベンチになっている応接収納可能用畳ベンチである。【００１３】直方体、及び正方体ボックス型腰掛ベンチにおいて、当該ボックスの表面に薄型畳を敷いて、縦５００〜１２００ｍｍ、横５００〜２４００ｍｍ、高さ４００〜６００ｍｍの長方体、又は正方体の収納部であり、当該ボックス内には収納可能な容積を持ち、底台面位置に照明具、又はキャスター、又はアジャスターを備えている。【００１４】長方体、又は正方体の形状のうち、表面に厚さ２〜５０ｍｍ、縦５００〜１２００ｍｍ、横５００〜２４００ｍｍである１〜３枚の畳であり、幅各ボックスの縁辺部には５〜１００ｍｍの幅の縁部を取り付けて、前記長方形、又は正方形の上面に装着できるようにして、ボックス体の底部に高さ３０〜２００ｍｍ、縦４５０〜１０００ｍｍ、横４５０〜２２００ｍｍである底台板を設けている。【００１５】畳ベンチは、応接室、及びホテル、旅館などのロビー、玄関内に設置されているものであって、収納庫部の上部に取り付けている着座部をテーブルやベンチやベッド等の台として、あるいはソファー、及び椅子として使用でき、常時使用できるように前記収納部の底台部にはＬＥＤ照明具を取り付け、又は移動あるいは安定性を確保するためにキャスター、又はアジャストを取り付けている。【００１６】応接室、及びホテル、旅館などのロビー、玄関内に設置される収納部において、該収納部の蓋部となる着座部と、前記収納部の内部に収納される蓋体付収納容積部とから構成され、前記収納容積部は、その内部に備蓄物を収納するための空間を有し、前記畳の着座部は長方形、又は正方形の平板形状畳を有し、前記上方を蓋体の開閉によって内部の利用に対応できる位置に着脱自在に開放された収納容積部と上面部に畳、及び蓋体を設けて、前記収納部の底台部に４個のキャスター、又は４〜８個のアジャスターを取り付ける。
【考案の効果】
【００１７】本考案によれば、ベンチの脚部を構成する収納庫とベンチのシート部を構成する着座部によりベンチを構成し、収納部の内部に備蓄物を収納することができるため、応接室、及びホテル、旅館などのロビー、玄関内等に一般的に置かれているベンチを常備品などの備蓄物の収納部として利用でき、また和風的雰囲気で休息して、種々の配置によって部屋内の雰囲気を大幅に変更できて、設置場所の確保を容易に行うことができるものであり、常備品など備蓄物の収納をベンチの内部で設置することができて、比較して非常に廉価に設置することのできるものである。【００１８】応接室、及びホテル、旅館などのロビー、玄関内に設置されて、畳を使用した和風式ベンチで、部屋内の古風様式をもたらして、これらの空間の様式を大きく変えることができた上で、その上ベンチ内に常備品の備蓄物の収納と、訪問者の休息、状況鑑賞の場所として使用できる休息家具として、さらに部屋、及び空間、環境を大きく変えて、全体的に移動できるようになっており、また簡単に模様替えができて、移動、運搬具として活用できて、部屋内を容易に出し入れすることができた。
【図面の簡単な説明】
【００１９】
【図１】応接収納可能用畳ベンチの斜視図
【図２】応接収納可能用畳ベンチの断面図
【図３】応接用収納可能畳ベンチの平面、側面、底面の図  Ａ：平面  Ｂ：側面  Ｃ：底面
【図４】応接用収納可能畳ベンチがロビーで使用されている状態図
【図５】応接用収納可能畳ベンチが畳部屋として使用されている状態図
【図６】応接用収納可能畳ベンチが収納箇所として使用されている状態図  Ａ：蓋付き収納部  Ｂ：物品の収納部
【考案を実施するための形態】
【００２０】本考案を図によって説明する。図１は、応接用畳ベンチの斜視図、図２は、応接用畳ベンチの断面図、図３は、応接用畳ベンチの外表面の図、図４は、応接用畳ベンチが使用されている状態図を示す。
【実施例１】
【００２１】直方体ボックス型腰掛ベンチにおいて、図１に示すように当該ボックスの表面に薄型畳を敷いて、縦６００ｍｍ、横１８００ｍｍ、高さ５００ｍｍの長方体であり、図２に示すようにボックス内には収納可能な容積を持った。【００２２】長方体の形状のうち、図３Ａに示すように表面に厚さ２０ｍｍ、縦６００ｍｍ、横１８００ｍｍである１枚の畳であり、幅各ボックスの縁辺部には３０ｍｍの幅の縁部の枠体を取り付け、前記長方形の形状内部に嵌め込むようにして、ボックス体の底台部に厚さ５０ｍｍ、縦４５０ｍｍ、横４５０ｍｍである底台板を設けて、その４隅には脚部と４個の照明具を取り付けた。【００２３】図６Ａ，Ｂに示すように、収納部は畳ベンチの脚部として機能すると共に、その内部は常備品を収納するための空間として利用される。一方、着座部は畳敷きベンチ部として機能すると共に、畳部が収納部の蓋として使用される。図２に示すように、着座部の下面には脚として調節して固定することによりボックス型腰掛ベンチの台として使用した。【００２４】これらの直方体ボックス型腰掛ベンチの４個を、図４に示すように中央に空間を持つように周囲に囲んで並べ、ホテルのロビーに置いて、お客の待合ベンチにした。中央には植物など樹木の鉢を置いた。自然感を持たせる役目をした。
【実施例２】
【００２５】実施例１と同様に、直方体ボックス型腰掛ベンチにおいて、図１に示すように当該ボックスの表面に薄型畳を敷いて、縦６００ｍｍ、横１８００ｍｍ、高さ５００ｍｍの長方体であり、図２に示すようにボックス内には収納可能な容積を持った。【００２６】長方体の形状のうち、図３Ａに示すように表面に厚さ２０ｍｍ、縦６００ｍｍ、横１８００ｍｍである１枚の畳であり、幅各ボックスの縁辺部には３０ｍｍの幅の縁部の枠体を取り付け、前記長方形の形状内部に嵌め込むようにして、ボックス体の底台部に厚さ５０ｍｍ、縦４５０ｍｍ、横４５０ｍｍである底台板を設けて、その４隅には脚部と４個の照明具を取り付けた。【００２７】図６Ａ，Ｂに示すように、収納部は畳ベンチの脚部として機能すると共に、その内部は常備品を収納するための空間として利用される。一方、着座部は畳敷きベンチ部として機能すると共に、畳部が収納部の蓋として使用される。図２に示すように、着座部の下面には脚として調節して固定することによりボックス型腰掛ベンチの台として使用した。【００２８】これらの直方体ボックス型腰掛ベンチの６個を、図５に示すように６畳の畳台として使用して、旅館のロビーに置いて、お客の待合ベンチ、あるいは子供の遊び場所にした。
【実施例３】
【００２９】直方体ボックス型腰掛ベンチにおいて、当該ボックスの表面に薄型畳を敷いて、縦６００ｍｍ、横１８００ｍｍ、高さ４００ｍｍの長方体であり、ボックス内には収納可能な容積を持ち、底面付近に明かりとしてＬＥＤランプを取り付けた。【００３０】長方体の形状のうち、表面に厚さ２０ｍｍ、縦６００ｍｍ、横６００ｍｍである３枚の畳であり、幅各ボックスの縁辺部には４０ｍｍの幅の縁部の枠体を取り付け、前記長方形の形状内部に３枚の畳を嵌め込むようにして、ボックス体の底部に厚さ４０ｍｍ、縦５００ｍｍ、横１６００ｍｍである底板を設けた。【００３１】収納部は畳ベンチの脚部として機能すると共に、図６に示すようにその内部は常備品を収納するための空間として利用される。一方、着座部は畳敷きベンチ部として機能すると共に、畳部が収納部の蓋として使用される。着座部の下面には脚として調節して固定することにより、ベンチとして使用することができ、この車付き脚は、伸縮自在な脚構造を適用できた。【００３２】これらの直方体ボックス型腰掛ベンチの６個を、中央部に植木を置けるように空間を持つように周囲に囲んで並べ、ホテルのロビーに置いて、お客の待合ベンチにした。中央には植物など樹木の鉢を置いているために、部屋の雰囲気として自然感を持たせる役目をした。
【実施例４】
【００３３】実施例１と同様に、直方体及び立方体ボックス型腰掛ベンチにおいて、当該ボックスの表面に薄型畳を敷いて、縦６００ｍｍ、横１８００ｍｍ、高さ５００ｍｍの長方体、又は縦６００ｍｍ、横６００ｍｍ、高さ５００ｍｍの正方体の２種類であり、ボックス内には収納可能な容積を持った応接用畳ベンチにした。【００３４】長方体と正方体の形状のうち、表面に厚さ３０ｍｍ、縦６００ｍｍ、横１８００ｍｍである４枚の畳と、厚さ３０ｍｍ、縦６００ｍｍ、横６００ｍｍである１枚の畳を製作した。それぞれの畳幅各ボックスの縁辺部には３０ｍｍの幅の縁部の枠体を取り付け、前記長方形と正方形の形状内部に嵌め込むようにして、ボックス体の底部に厚さ５０ｍｍ、縦４５０ｍｍ、横１６００ｍｍである底板を設けて、その４隅には脚部と４個の照明具を取り付けた。【００３５】収納部は畳ベンチの脚部として機能すると共に、図６に示すようにその内部は常備品を収納するための空間として利用した。一方、着座部は畳敷きベンチ部として機能すると共に、畳部が収納部の蓋として使用した。着座部の下面には脚として調節して固定することにより、テーブルやベンチやベッド等の台として使用できるようにした。この車付き脚は、伸縮自在な脚構造を適用できるだけでなく、その長さを変更させる脚構造、或いは着脱式や折畳み式の脚構造のものも適用することができる。【００３６】部屋の内部に一列に並べて、主としてベンチ、休憩場所として隅に置いた。
【符号の説明】
【００３７】１．ベンチ式収納部
２．容積収納部
３．蓋部
４．着座部
５．側面部
６．底台部
７．ボックス型形状
８．常備品
９．照明具、
１０．アジャスター
１１．収納体
【図１】
0003207335.tif 000003
【図２】
0003207335.tif 000004
【図３】
0003207335.tif 000005
【図４】
0003207335.tif 000006
【図５】
0003207335.tif 000007
【図６】
0003207335.tif 000008